(57)【要約】本発明は、近位部分、遠位部分、血液を送達するために構成された長手方向に伸びる第一の中央ルーメン、および、該中央ルーメンの周囲に配置され且つ患者から血液を抜取るように構成された長手方向に延びる少なくとも三つのルーメンを有するカテーテル本体を備える透析カテーテルを提供する。カテーテル本体の遠位部分には、第一のルーメンと液体流通し、且つ血液を通過させるために構成された少なくとも一つの血液送達開口部が形成されている。少なくとも三つの血液抜取り開口部が、カテーテル本体の外壁に形成されており、該開口部の夫々は少なくとも三つのルーメンのうちの一つと液体流通し、且つ患者からの血液を通過させるように構成される。【選択図】図１
2005502387.tif 000002
【特許請求の範囲】
【請求項１】
近位部分、遠位部分、血液を送達するために構成された長手方向に延びる第一の中央ルーメン、および該第一のルーメンの周囲に配置された長手方向に延びる少なくとも三つのルーメンを有し、前記少なくとも三つのルーメンは患者から血液を抜取るように構成されているカテーテル本体と；
前記カテーテル本体の遠位部分に形成された少なくとも一つの血液デリバリー開孔部を備え、該血液デリバリー開口部は、前記第一のルーメンと液体流通し、かつその中を血液が通過するために構成されており；
前記カテーテル本体の外壁に形成された少なくとも三つの血液抜取り開口部を備え、その夫々が前記少なくとも三つのルーメンの一つと液体流通し、且つ患者
から血液を通過させるために構成される；
ことを特徴とする透析カテーテル。
【請求項２】
請求項１に記載のカテーテルにおいて、前記少なくとも三つの血液抜取り開口部は、前記少なくとも一つの血液送達開口部から近位方向に離間していることを特徴とする透析カテーテル。
【請求項３】
請求項１に記載の透析カテーテルにおいて、前記第一のルーメンは断面が実質的に矩形であり、前記少なくとも三つの長手方向に延びるルーメンの夫々は、断面が実質的に楕円状であることを特徴とする透析カテーテル。
【請求項４】
請求項３に記載の透析カテーテルにおいて、前記第一のルーメンおよび前記少なくとも三つの長手方向に延びるルーメンの断面形状は、近位部分においてそれぞれ実質的に円形の断面形状に変化することを特徴とする透析カテーテル。
【請求項５】
請求項２に記載の透析カテーテルにおいて、更に、前記カテーテル本体の遠位部分に遠位チップ部分を備え、該遠位チップ部分は、前記カテーテル本体における中間部分の第二の硬さよりも大きい第一の硬さを有し、カテーテルが患者に挿入されるときに組織を拡張するのに充分に剛性であることを特徴とする透析カテーテル。
【請求項６】
請求項１に記載の透析カテーテルにおいて、前記血液抜取り開口部は軸方向に細長く、またカテーテルの横断面と交差することを特徴とする透析カテーテル。
【請求項７】
請求項１に記載の透析カテーテルにおいて、前記少なくとも三つの血液抜取り開口部は第一の組の開口部を形成しており、また前記カテーテル本体は更に、第二の組の血液抜取り開口部を備え、該第二の組の血液抜き取り開口部は前記第一の組の開口部から近位方向に離間していることを特徴とする透析カテーテル。
【請求項８】
請求項１に記載の透析カテーテルにおいて、前記カテーテル本体の遠位部分は、前記第一のルーメンを通して挿入された補強部材に係合して、補強部材を前記カテーテル内に一時的に装着するための内部ねじ付き部分を含んでいることを特徴とする透析カテーテル。
【請求項９】
請求項１に記載の透析カテーテルにおいて、前記カテーテルの遠位チップ部分は、前記第一のルーメンを通して挿入された補強部材に当接するように適合される肩部を含んでいることを特徴とする透析カテーテル。
【請求項１０】
請求項９に記載の透析カテーテルにおいて、更に、前記肩部に当接して、前記カテーテル本体内に除去可能に配置できる補強部材を備え、前記補強部材はカテーテル本体を張力下に置き、また前記補強部材にトルクを付与することにより、前記カテーテル本体が伸張されて、前記カテーテル本体の外径の少なくとも一部が減少されることを特徴とする透析カテーテル。
【請求項１１】
請求項１０に記載の透析カテーテルにおいて、前記補強部材の近位部分は、前記補強部材を前記カテーテルに装着するための一連のねじ溝を有することを特徴とする透析カテーテル。
【請求項１２】
請求項１に記載の透析カテーテルにおいて、更に、前記少なくとも三つの血液抜取り開口部が患者の血管壁に接触するのを防止するために、前記カテーテル本体の外壁から延びる複数のスペーサを備えることを特徴とする透析カテーテル。
【請求項１３】
請求項１に記載の透析カテーテルにおいて、前記カテーテルの遠位部分が直径が小さい領域へとテーパしていることを特徴とする透析カテーテル。
【請求項１４】
請求項１３に記載の透析カテーテルにおいて、前記血液送達開口部は細長く、また前記直径が小さい領域に隣接して形成されることを特徴とする透析カテーテル。
【請求項１５】
請求項１に記載の透析カテーテルにおいて、前記カテーテル本体は或る外径を有し、更に、前記カテーテル本体内に除去可能に配置された補強部材を備え、該補強部材は前記カテーテル本体を張力下に置いて該カテーテル本体を伸長させ、それによって、挿入の際に前記カテーテル本体の外径の少なくとも一部を減少させることを特徴とする透析カテーテル。
【請求項１６】
請求項１に記載の透析カテーテルにおいて、前記カテーテル本体の遠位部分はその中に配置された補強挿入物を有し、該挿入物の中には、前記第一のルーメンと連通するルーメンが形成されていることを特徴とする透析カテーテル。
【請求項１７】
患者の身体に対して血液を送達および抜取るためのカテーテルにおいて：該カテーテルは、
外壁、遠位チップ部分、前記カテーテル本体の近位部分から前記遠位チップ部分を通って延び、且つ、中にガイドワイヤを収容するように構成された第一のルーメン、該第一のルーメンとは独立の長手方向に延びる第一のルーメンおよび第二のルーメン、および前記外壁において半径方向に離間された第一開口部および第二の開口部を有するカテーテル本体を備え、前記第一の開口部は前記長手方向に延びる第一のルーメンと液体連通し、前記第二の開口部は長手方向に延びる前記第二のルーメンと液体連通しており；
前記遠位チップ部分に配置された補強挿入物を備え、該補強挿入物は、前記遠位チップ部分の第二の硬さよりも大きい第一の硬さを有し、且つ前記遠位チップ部分を通して延びる第一のルーメンと連通するルーメンをその中に有する；
ことを特徴とするカテーテル。
【請求項１８】
請求項１７に記載のカテーテルにおいて、更に、前記遠位チップ部分の外壁に形成された少なくとも二つのポートを備え、該少なくとも二つのポートは、前記遠位チップ部分の第一のルーメンと液体連通し、且つ前記補強挿入物の近位方向に配置されることを特徴とするカテーテル。
【請求項１９】
請求項１７に記載のカテーテルにおいて、前記遠位チップ部分は弾丸ノーズの構成を有することを特徴とするカテーテル。
【請求項２０】
請求項１７に記載のカテーテルにおいて、前記遠位チップ部分は直径が小さい領域へとテーパすることを特徴とするカテーテル。
【請求項２１】
患者の身体に対して血液を送達および抜取るためのカテーテルにおいて：該カテーテルは、
外壁、遠位部分、前記カテーテル本体の近位部分から前記遠位部分を通って延び、且つ、中にガイドワイヤを収容すると共に、中に血液を通過させるように構成された中央ルーメン、該中央ルーメンとは独立の長手方向に延びる少なくとも三つのルーメンを有するカテーテル本体を備え、前記少なくとも三つのルーメンは前記中央ルーメンに関して放射状に配置されており；
前記カテーテル本体の外壁における少なくとも三つの開口部を備え、夫々の開口部が、前記少なくとも三つの長手方向に延びるルーメンの一つと液体連通しており；
前記中央ルーメン内に除去可能に配置された補強部材を備え、該補強部材は、前記カテーテルに除去可能に装着され且つその中を通してガイドワイヤを収容している；
ことを特徴とするカテーテル。
【請求項２２】
請求項２１に記載のカテーテルにおいて、前記補強部材は前記カテーテル本体の最遠位チップの近位側で終端することを特徴とするカテーテル。
【請求項２３】
請求項２１に記載のカテーテルにおいて、前記補強部材は前記カテーテル本体の最遠位チップの遠位側に延びることを特徴とするカテーテル。
【請求項２４】
請求項２１に記載のカテーテルにおいて、前記補強部材は、補強部材の近位端をカテーテルに装着するため、および前記補強部材にトルクを付与して前記カテーテル本体を伸張させるために、近位端部分にねじ溝部分を有することを特徴とするカテーテル。
【請求項２５】
請求項２４に記載のカテーテルにおいて、前記補強部材は、前記補強部材の挿入を制限するために、前記カテーテル本体の遠位チップ部分の内部に形成された表面に当接するための当接表面を有することを特徴とするカテーテル。
【請求項２６】
拡張套管針および透析カテーテルを備える透析カテーテルを配置するシステムにおいて；該システムは、
ａ）細長い管状部分および該管状部分を通して長手方向に延びるルーメンを有する套管針を備え、前記管状部分は組織を拡張して皮下組織トンネルを形成するように構成された拡張チップ内で終端し、前記套管針のルーメンは第一の内径を有し、且つガイドワイヤを回収するためにその中を通してガイドワイヤを除去可能に収容するように構成されており；
ｂ）血液送達のために構成された第一のルーメン、および患者から血液を抜き取るために構成された第二の独立のルーメンを有する透析カテーテルを備え、該カテーテルの少なくとも一部は皮下組織トンネルを通して挿入するために構成された外径を有し、前記カテーテルのルーメンの一つは、前記套管針が除去されたときに、前記透析カテーテルをワイヤ上で組織トンネルを通して挿入するためのガイドワイヤを収容するように構成される；
ことを特徴とするシステム。
【請求項２７】
請求項２６に記載のシステムにおいて、更に、前記ガイドワイヤの挿入のために、前記套管針のルーメンと連通した、前記套管針の中に形成された細長い開口部を含むことを特徴とするシステム。
【請求項２８】
患者の身体に対して血液を送達および抜取るためのカテーテルにおいて：該カテーテルは、
外壁、遠位部分、前記カテーテル本体の近位部分から前記遠位部分を通って伸延び、且つ、中にガイドワイヤを収容すると共に、中に血液を通過させるように構成された中央ルーメン、該中央ルーメンとは独立の長手方向に延びる少なくとも三つのルーメンを有するカテーテル本体を備え、前記少なくとも三つのルーメンは前記中央ルーメンに関して放射状に配置されており；
前記カテーテル本体の外壁における少なくとも三つの開口部を備え、夫々の開口部が、前記少なくとも三つの長手方向に延びるルーメンの一つと液体連通しており；
前記中央ルーメンの近位端から延びる第一の介在管、および、それぞれが前記少なくとも三つのルーメンのうちの一つの近位端から延びる第二の介在管、第三の介在管および第四の介在管と；
中を通して形成され且つ前記第一の介在管と連通するルーメンを有する第一の延長管と；
中を通して形成された少なくとも三つのルーメンを有する第二の延長管を備え、各ルーメンが第二の介在管、第三の介在管および第四の介在管とそれぞれ連通する；
ことを特徴とするカテーテル。
【請求項２９】
請求項２８に記載のカテーテルにおいて、前記介在管の少なくとも一部が前記カテーテルのハブ内に含められることを特徴とするカテーテル。
【請求項３０】
請求項２８に記載のカテーテルにおいて、前記第一の延長管および第二の延長管におけるルーメンが、それぞれ第一の断面形状から第二の異なる断面形状へと変化することを特徴とするカテーテル。
【発明の詳細な説明】
【０００１】
【発明の背景】
この出願は、２００１年１月９日に出願された仮特許出願６０／２６０，５９２号の優先権を主張し、その全体を本明細書の一部として本願に援用するものである。
【０００２】
＜技術分野＞
この出願はカテーテルに関し、特に、血液透析を容易にする多重ルーメンカテーテルに関する。
＜関連した技術の背景＞
血液透析は、血液を体外循環させることにより腎機能を提供する周知の方法である。腎臓は、水および尿素、ミネラル塩、毒素および他の老廃物を血液から抽出するように機能する、ネフロンと称する濾過ユニットを備えた器官である。ネフロンからは、回収された老廃物が排出のために膀胱に送られる。血液透析法は腎臓の機能をシミュレートする機械を提供するから、一方または両方のネフロンに欠陥を有する患者の生命を救うものである。
【０００３】
血液透析法において、血液はカテーテルまたは管を通して患者の身体から引抜かれ、人工腎臓とも呼ばれる透析機に輸送される。このカテーテルは、典型的には頚静脈を通して挿入され、高速血流を提供するために、上大静脈を通して右心房へと正しい位置に操縦される。透析機においては、毒素および他の老廃物が半透膜を通して血液の化学組成に密接に適合された透析液の中に拡散する。次いで、濾過された血液、即ち、老廃物を除去された血液は患者の身体に戻される。幾つかの例において、カテーテルは数年間その場所に留置されることがある。理解できるように、患者の血液への適正なアクセスおよび長時間に亘る透析機との間での血液の輸送は、血液透析にとって極めて重要である。
【０００４】
現在市販されている透析カテーテルの一つの例は、メッドコンプ・アッシュ・スプリット・カテーテル（ＭｅｄＣｏｍｐ Ａｓｈ Ｓｐｒｉｔカテーテル）である。このカテーテルは二つのルーメンを有し、その一方は動脈流用、他方は静脈流用であり、これらの夫々は断面がＤ字形状である。該カテーテルはルーメンを分離するためにその遠位端において二叉に分かれており、また該カテーテルは、標的領域に挿入される前に、選択された分離のための望ましい長さに手動で分割される。もう一つの周知のカテーテルはメッドコンプ・カテーテル（ＭｅｄＣｏｍｐカテーテル）であり、これは動脈流ルーメンから近位方向に終端した（即ち、軸方向に後退した）静脈流ルーメンを有する。また、これらルーメンの夫々は、断面がＤ字形状である。
【０００５】
これらのメッドコンプ透析カテーテル（Ｍｅｄｃｏｍｐ透析カテーテル）は、挿入のために多くの工程を必要とする。複数の挿入工程は次のように要約される。
１．血管、例えば内部右頚静脈を適正に突止める（アクセスする）ために、血管針が第一の切開部位を通して挿入される。
２．上記の針を通してガイドワイヤが内部頚静脈に挿入され、次いで、上大静脈を下降して下大静脈の中に挿入される。
３．上記の導入針を引抜き、ガイドワイヤを適正位置に残す。
４．鞘（シース）を引裂き（剥し取って）、ガイドワイヤ上で拡張器を第一の切開部を通して挿入し、頚静脈、上大静脈および右心房の中への透析カテーテルのアクセスポートを提供する。
５．胸壁に第二の切開を行い、第二の開口部を形成する。
６．透析カテーテルの遠位端に套管針（トロカール）を取付ける。
７．套管針および透析カテーテルを第二の切開部を通して押し込み、且つ前進させて、皮下組織を鈍く切除し、導入針によって形成した第一の切開部から出し、それによって第一の開口部と第二の開口部との間に皮下組織トンネルを形成する。
８．套管針を透析カテーテルから取外して、カテーテルはその場に残し、第二の開口部から組織トンネルを通して第一の開口部から出す。
９．拡張器およびガイドワイヤを除去し、引裂いて除去した鞘を、拡張器により拡大された第一の切開部においてその場に残す。
１０．第一の切開部から突出している透析カテーテルを、引裂かれた鞘を通して挿入および前進させ、その遠位部分を右心房内に配置する。
１１．タブを遠くに引張ることにより鞘を分離し、即ち分割し、次いで、透析カテーテルから下方に引き離して身体から除去することにより、カテーテルがその場に残される。
１２．第二の切開部を閉じ、管を介して透析機に接続されている透析カテーテルを長期間その場に残し、透析機と間での循環を提供する。
（或いは、上記の方法において、第一の切開部に隣接する第三の切開部を通して套管針を出し、次いで導入器鞘を通して挿入することもできる）。
【０００６】
メッドコンプ透析カテーテル（Ｍｅｄｃｏｍｐ透析カテーテル）を挿入するこの多段階プロセスは時間を要し、また外科処置を複雑にする。これらの多段階法は、外科医の余計な時間だけでなく、カテーテルシステム全体のコストを増大させる引裂き鞘のような追加の部品を必要とするため、処置のコストが増大する。また、拡張器の除去は、シースがキンクする傾向を増大させて、カテーテルの挿管を困難にする。
【０００７】
引裂き鞘の使用もまた、問題を生じる可能性がある。この引裂き方式の鞘は、タブを引張ることによって引き離すときに、該鞘を分離して鞘の除去を可能にするための弱い線を有している。しかし、この鞘は、それが引き離されるときに潜在的に血管壁に損傷を生じることがあり、感染を生じる可能性がある。更に、該鞘を横方向に引張ると切開部が拡大し、それによって処置の終了時の切開部の閉鎖に困難を生じることがある。また、鞘を除去のために近位方向に引張ると、カテーテルも近位方向に引張られて望ましい部位から離されるので、再配置が必要になる。引裂かれた縁部もまた、外科医の手袋および指を傷付ける可能性がある。
引裂き鞘を利用することに伴う追加の潜在的な危険は、空気塞栓症が生じ得ることである。外科医が鞘から拡張器を抜取り、カテーテルを挿入する際に、鞘を通って血管に向う通路が開かれる。このカテーテル交換の際に患者が呼吸をすると、空気の泡が血管系に入って血管を塞いで発作を起こしたり、または死亡する可能性がある。
【０００８】
従って、上記処置工程の幾つかを削減して当該処置の複雑さを低減し、病院および外科医のコストを減少する透析カテーテル挿入法が提供されれば有利であろう。また、外傷が少なく且つ引裂き鞘の使用に付随した上記問題、例えば空気塞栓症、血管壁に対する外傷、切開部の拡大、およびカテーテルの位置外れの危険を回避するような透析カテーテル挿入法が提供できれば有利であろう。
【０００９】
改善を必要とする透析カテーテル挿入のもう一つの領域は、カテーテルの標的部位への案内である。透析カテーテルは、その挿入および使用に際して血管壁への損傷を最小限にするために、可撓性の配管で構成されている。しかし、標的血管に到達するためにカテーテルは湾曲部を通過しなければならないので、この可撓性は屡々カテーテルのキンクを生じる。このキンクは血流に悪影響を及ぼす可能性がある。また、カテーテルを血管の湾曲部周囲で方向付けするのを可能にするために、カテーテルは或る程度の剛性を有する必要がある。しかし、カテーテルの剛性自身が危険性を有している。何故なら、カテーテルが適正に配向されなければ、カテーテルが偶然に血管壁に当接して、血管を穿孔または損傷する可能性があるからである。
【００１０】
従来技術では、カテーテルの硬さを増大させるための幾つかの異なるアプローチが議論されている。例えば、米国特許第５，９５７，８９３号のようにカテーテルを案内するために遠位端に硬い材料を与えること、カテーテルの種々の部分に異なるデュロメータ値の材料を使用すること（米国特許第５，３４８，５３６号）、米国特許第４，５８３，９６８号のように先端に追加の材料密度を設定すること、または剛性を増大させるために補強ストリップ、閉塞物または管をカテーテル本体内に与えること（例えば米国特許第４，６１９，６４３号、同第４，９５０，２５９号、同第５，２２１，２５５号、同第５，２２１，２５６号、および同第５，２４６，４３０号）である。しかし、可撓性および硬さのバランスを改善する必要性がある。従って、患者の解剖学的湾曲部に順応するために充分な可撓性を有すると共に、外傷を生じることなく、或る長さの血管を通して可撓性カテーテル管を案内することを可能にするために、十分な硬さを有するカテーテルを提供するのが有利であろう。
【００１１】
血管内をナビゲートして右心房のような標的部位にアクセスする際には、より小さいカテーテルプロファイル、即ち、より小さい外径のカテーテル本体を提供するのが望ましい。このプロファイルは、カテーテルが血管壁に係合する可能性を低下し、血管壁との摩擦接触を最小化することにより外傷を低減するので、より小さい血管の挿通を容易にする。しかし、より小さい直径のカテーテルに対する要望は、適正な血流を可能にする十分な大きさのルーメンを提供する必要性とバランスされなければならない。ルーメンが小さ過ぎると充分な血流を維持できず、輸送の間に血液が損傷される可能性がある。また、ルーメンの大きさと、カテーテルの構造的一体性を維持するためのカテーテル全体の直径との間で、充分な関係が維持されなければならない。
【００１２】
多重ルーメン構成を最適化するための多くの試みが、従来技術においてなされてきた。米国特許第４，５６８，３２９号および同第５，０５０，０２３号に開示されているような幾つかのアプローチでは、Ｄ字形状に並置された流入ルーメンおよび流出ルーメンが設けられる。米国特許第４，４９３，６９６号、同第５，１６７，６２３号および同第５，３８０，２７６号に開示されているような他のアプローチにおいては、流入管および流出管が同軸的に配置される。異なるルーメン構成の例が、米国特許第５，２２１，２５６号、同第５，３６４，３４４号および同第５，４５１，２０６号に開示されている。このルーメン構成は、二つの対立する因子に適合しなければならない。即ち、挿入を容易にするためにカテーテルを可能な限り小さく維持する一方、血流のためにできるだけ大きいルーメンを維持しなければならない。このバランスを達成しながら、カテーテルの構造的一体性を維持しなければならない。従って、これら二つの対立する因子の最適な調和をもたらすカテーテルを提供するのが有利であろう。
【００１３】
透析カテーテルのもう一つの重要な特徴は、血液を抜取るための吸引開口部である。充分な供給量の血液を透析患者から取出さなければならないから、透析機能にとって、吸引開口部に血栓溶解性材料が存在せず、且つ該開口部が血管壁から離間するように維持することが本質的に重要であることは明らかである。しかし、従来の透析カテーテルに伴う一つの問題は、血液の抜き取りの際にはカテーテル開口部およびルーメンを通して吸引が適用されるので、この吸引によりカテーテルが血管側壁に当接される可能性があり（「側部ポート閉塞」として知られる）、これは開口部が閉鎖して間欠的な吸引しか可能にしないように、カテーテルの機能に悪影響を及ぼす可能性がある。事実、この開口部は完全に閉鎖されるに至り、それによって血液（即ち静脈流）の必要な取込みを妨げる。透析カテーテルは屡々数ヶ月または数年に亘って移植されるので、カテーテルの外側にフィブリン鞘の成長が生じる可能性がある。このフィブリン成長は、カテーテルを異物として拒絶しようとする身体の反応によって生じるものであり、吸引孔の閉鎖を生じ得るであろう。
【００１４】
従って、外科的透析処置を容易にする改善された透析カテーテルの必要性が存在している。このようなカテーテルは有利なことに、カテーテル挿入時間を低減し、カテーテル挿入プロセスを単純化し、引き剥がし導入鞘の必要性を排除し、感染の機会を減少し、挿入の際のカテーテルの望ましくないキンクを低減し、カテーテル全体およびルーメンの大きさの最適なバランスを取り、またの吸引容量を改善して静脈流を改善するであろう。
【００１５】
【発明の概要】
本発明は、従来技術の欠点および不備な点を克服するものである。本発明は、近位部分、遠位部分、血液を送達するために構成された長手方向に延びる第一の中央ルーメン、および該中央ルーメンの周囲に配置され且つ患者から血液を抜取るように構成された長手方向に延びる少なくとも三つのルーメンを有するカテーテル本体を備える透析カテーテルを提供する。カテーテル本体の遠位部分には、第一のルーメンと液体流通し、且つ血液を通過させるために構成された少なくとも一つの血液送達開口部が形成されている。少なくとも三つの血液抜取り開口部が、カテーテル本体の外壁に形成されており、該開口部の夫々は少なくとも三つのルーメンの一つと液体流通し、且つ患者からの血液を通過させるように構成される。
好ましくは、血液抜取り側開口部は、血液送達開口部の近位側に離間されている。
【００１６】
一つの実施例では、前記第一のルーメンは断面が実質的に円形であり、前記少なくとも三つの長手方向に延びるルーメンの夫々は断面が実質的に楕円形であり、該断面が実質的に楕円形のルーメンは夫々、第一の湾曲した対向壁および第二の湾曲した対向壁、並びに、第二の実質的に真直ぐな対向壁および第三の実質的に真直ぐな対向壁によって定義される。別の実施例では、前記少なくとも三つの長手方向に延びるルーメンは断面が実質的に矩形である。もう一つの実施例において、前記第一のルーメンは断面が実質的に矩形であり、且つ前記少なくとも三つの長手方向に延びるルーメンは断面が実質的に楕円状である。
別の実施例においては、肩部と当接して、または、ねじ結合でカテーテル内に配置可能な補強部材を設けてもよい。該補強部材はカテーテル本体に張力を付与し、該補強部材にトルクを付与するとカテーテル本体を伸張させて、カテーテル本体の外径の少なくとも一部を減少させる。また、補強挿入物には、その中に形成されて前記第一のルーメンと連通するルーメンを設けることができる。
【００１７】
本発明はまた、患者の身体に対して血液を送達および抜取るためのカテーテルであって：外壁、遠位チップ部分、前記カテーテル本体の近位部分から前記遠位チップ部分を通って延び且つその中にガイドワイヤを収容するように構成された第一のルーメン、該第一のルーメンとは独立の長手方向に延びる第一のルーメンおよび第二のルーメン、および前記外壁において半径方向に離間された第一の開口部および第二の開口部を有するカテーテル本体を備え、前記第一の開口部は前記長手方向に延びる第一のルーメンと液体連通し、前記第二の開口部は長手方向に延びる前記第二のルーメンと液体連通するカテーテルを提供する。補強挿入物が前記遠位チップ部分に配置され、該補強挿入物は前記遠位チップ部分の第二の硬さよりも大きい第一の硬さを有し、且つ前記遠位チップ部分を通して延びる第一のルーメンと連通するルーメンをその中に有する。
【００１８】
前記遠位チップ部分は、一つの実施例においては弾丸ノーズの構成を有し、もう一つの実施例では直径が小さい領域へとテーパする。一つの実施例においては、前記遠位チップ部分の外壁に少なくとも二つの側部開口部が形成され、該側部開口部は前記遠位チップ部分の第一のルーメンと液体流通し、且つ前記補強挿入物の近位側に配置される。
【００１９】
本発明はまた、患者の身体に対して血液を送達および抜取るためのカテーテルであって：外壁、遠位部分、前記カテーテル本体の近位部分から前記遠位部分を通って延び、且つ、中にガイドワイヤを収容すると共に、中に血液を通過させるように構成された中央ルーメン、該中央ルーメンとは独立の長手方向に延びる少なくとも三つのルーメンを有するカテーテル本体を備え、前記少なくとも三つのルーメンは前記中央ルーメンに関して放射状に配置されているカテーテルを提供する。少なくとも三つの開口部が、前記カテーテル本体の外壁に形成され、夫々の開口部は、前記少なくとも三つの長手方向に延びるルーメンの一つと液体連通する。補強部材が前記中央ルーメン内に除去可能に配置され、また前記カテーテルの一部に除去可能に装着される。該補強部材は、その中を通してガイドワイヤを収容するためのルーメンを含んでいる。
【００２０】
前記補強部材は、一つの実施例では前記カテーテル本体の最遠位チップの近位側で終端し、もう一つの実施例では、前記補強部材は前記カテーテル本体の最遠位チップの遠位側に延びる。
前記補強部材は、該補強部材の近位端をカテーテルに装着するため、および該補強部材にトルクを付与して前記カテーテル本体を伸張させるために、近位端部分にねじ溝部分を有するのが好ましい。一つの実施例において、前記補強部材はその遠位部分をカテーテル本体に装着するために、該遠位部分にねじ溝部分を有する。もう一つの実施例において、前記補強部材は、該補強部材の挿入を制限するために、前記カテーテル本体の遠位チップ部分の内部に形成された当接肩部に当接するための当接チップを有する。この肩部は、前記カテーテル本体の中央ルーメンと連通する第一の内部ルーメンおよび第二の内部ルーメンを有する遠位部分によって形成すればよく、その場合、前記第一のルーメンは前記第二のルーメンよりも小さい直径を有する。
【００２１】
本発明はまた、トンネリング套管針および透析カテーテルを備える透析カテーテルを配置するためのシステムを提供する。該システムは、細長い管状部分および該管状部分を通して長手方向に延びるルーメンを有する套管針を備える。前記管状部分は組織を拡張して皮下組織トンネルを形成するように構成された拡張チップ内で終端する。前記ルーメンは、ガイドワイヤを回収するために、その中を通してガイドワイヤを除去可能に収容するように構成された第一の内径を有する。前記透析カテーテルは、血液送達のために構成された第一のルーメン、および患者から血液を抜き取るために構成された第二の独立のルーメンを有する。該カテーテルの少なくとも一部は皮下組織トンネルを通して挿入するために構成された外径を有し、また、前記ルーメンの一つは、前記套管針が除去されたときに、前記透析カテーテルをワイヤ上で組織トンネルを通して挿入するためのガイドワイヤを収容するように構成される。
【００２２】
本発明はまた、患者の身体に対して血液を送達および抜取るためのカテーテルであって：外壁、遠位部分、前記カテーテル本体の近位部分から前記遠位部分を通って延び、且つ、中にガイドワイヤを収容すると共に、中に血液を通過させるように構成された中央ルーメン、該中央ルーメンとは独立の長手方向に延びる少なくとも三つのルーメンを有するカテーテル本体を備え、前記少なくとも三つのルーメンは前記中央ルーメンに関して放射状に配置されているカテーテルを提供する。
【００２３】
前記カテーテル本体の外壁には少なくとも三つの開口部が形成され、夫々の開口部は、前記少なくとも三つの長手方向に延びるルーメンの一つと液体連通する。第一の介在管は前記中央ルーメンの近位端から延び、また第二の介在管、第三の介在管および第四の介在管の夫々は、前記少なくとも三つのルーメンのうちの一つの近位端から延びる。中を通して形成されたルーメンを有する第一の延長管は前記第一の介在管と連通し、その中を通して形成された少なくとも三つのルーメンを有する第二の延長管は、前記第二の介在管、第三の介在管および第四の介在管とそれぞれ連通する。
【００２４】
本発明はまた、患者の中に透析カテーテルを挿入する方法であって：
患者の頚静脈から上大静脈を通して下大静脈の中にガイドワイヤを挿入することと；
ルーメンおよび切除チップを有する套管針を準備することと；
前記套管針を患者の切開部に挿入して、皮下組織トンネルを形成することと；
ガイドワイヤが第一の切開部を通して延びるように、前記套管針のルーメンを通してガイドワイヤを挿通することと；
第一のルーメンおよび第二のルーメンを有する透析カテーテルを準備することと；
前記套管針を除去することと；
前記透析カテーテルを、前記ガイドワイヤ上で前記切開部、前記頚静脈および前記上大静脈を通して右心房の中に挿入することと；
を含む方法を提供する。
【００２５】
この方法は更に、前記カテーテルの挿入を容易にするために、前記カテーテルの第一のルーメンの中に補強部材を一時的に挿入し、該補強部材を捻り、該補強部材をカテーテルの近位部分に固定して、カテーテルの外径の少なくとも一部を減少させる工程を備えていてもよい。
【００２６】
本発明はまた、患者の右心房ン中に透析カテーテルを挿入する方法であって：
ルーメンを有する透析カテーテルを準備することと；
患者の内部大静脈の中にガイドワイヤを挿入することと；
カテーテルのルーメンを通して補強部材を挿入することと；
前記補強部材を通してガイドワイヤを挿入し、該ガイドワイヤ上で前記透析カテーテルおよび補強部材を患者の前記静脈および右心房の中に前進させることと；
前記ガイドワイヤを除去して、前記透析カテーテルをある期間に亘ってその場に残すことと；
を含む方法を提供する。
この方法は、更に、前記補強部材を、その拡張チップが前記カテーテルの遠位側に延びるように挿入する工程を含んでいてもよい。
以下、添付の図面を参照して本開示の好ましい実施例を説明する。
【００２７】
【発明の好ましい実施例の詳細な説明】
次に、図面（幾つかの図を通して、類似の参照番号は同様のまたは類似の部品を示す）を詳細に参照すると、本発明のカテーテル第一の実施例は、参照番号１０で一般に示されている。カテーテル１０は、充分な血液が透析のために身体から輸送され得ることを保証するために、典型的には高速血流領域に挿入される。図１は、右内部頚静脈「ａ」を通して上大静脈「ｂ」および右心房「ｃ」に挿入されたカテーテル１０を示している。図２は、左内部頚静脈「ｄ」を通して上大静脈「ｂ」および右心房「ｃ」に挿入されたカテーテル１０を示している。右側または左側からの右心房への挿入は、透析機への必要な高速血流を提供する。なお、カテーテル本体（カテーテル管）１１は充分に可撓性であり、示された解剖学的湾曲部に適合するように曲がることを可能にする。
【００２８】
カテーテル１０は、遠位端部分３１、近位端部分３３、および中間部分３５を有するカテーテル本体またはカテーテル管１１を有している。遠位部分３１は、図示のように実質的に円錐形状のノーズ３２で終端している。近位端部分３３は、透析のための血液の戻しおよび抜取りを可能にするハブ１２、即ち遷移部を含んでおり、ここでは、カテーテル管１１内に形成されたルーメンが流入および流出ハブ１６，１８に夫々結合されている。従来の管クランプ１７および１９は、所望により、流入管および流出管１６，１８を通る血流を遮断する。ここで使用する「流入」および「流出」の用語は、患者の身体に関する血流の方向を意味し、「流入」は透析機から身体に供給される流れを意味するのに対して、「流出」は身体から抜取られて透析機に輸送される流れを意味する。
【００２９】
図示するように、カテーテル１０の中間部分は、皮下組織トンネル「ｔ」を通って延びており、標的部位（例えば、右心房）に向って下方に湾曲している。このトンネル「ｔ」は、数週間、更には数ヶ月に亘って、透析のための適正な場所にカテーテルを固定し、繊維状カフ３６（図３）が組織の内殖（ｉｎｇｒｏｗｔｈ）を可能にする。トンネル「ｔ」の形成および該トンネルを通してのカテーテル１０の挿入については、カテーテル挿入法の検討に関連して以下で述べる。
【００３０】
カテーテルは、第二の切開部位で組織トンネル「ｔ」から出るように示されているが、好ましくは、該組織トンネルは第二の部位に出口開口部を有しておらず、その代わり、針および拡張器が内部頚静脈「ａ」に最初にアクセスする同じ切開部を通して出されるであろう。これについては以下で更に詳述する。
透析機に対する血液の輸送のために、カテーテルチューブの中には一連のルーメンが形成されている。当該技術において周知のように、透析機は本質的に、腎不全に罹った患者のための腎臓として機能する。患者から血液が取出されて透析機に送られ、そこでは半透膜を通して透析液中に拡散することにより毒素が除去される。次いで、この濾過された血液は、カテーテル本体を通して患者に戻される。
【００３１】
次に、図５、図６Ａ、図７および図８を参照して、カテーテルルーメンを更に詳細に説明する。中央の長手方向ルーメン４０が、カテーテル管１１内に全長に亘って形成されており、これは濾過された血液を患者に輸送するように設計されている。また、ルーメン４０は、カテーテルを所望の位置に向けるために、ガイドワイヤ２０を収容するように構成されている。ルーメン４０はノーズ４２まで延びており、それがノーズ４２の中央長手方向ルーメン４１と整列する領域３７で終端している。ノーズ４２の中央ルーメン４１は、患者の身体と連通する遠位開口部４７で終端する狭いルーメン４５と連通しており、従って、血液は遠位開口部４７を通して送達されることができる。ルーメン４１および４５もまた、ガイドワイヤ２０を収容する。従って、ルーメン４０、ルーメン４１および狭いルーメン４５は一緒になって、透析機から患者への血液の送達を可能にする中央ルーメンを形成する。ルーメン４１から狭いルーメン４５への遷移部分は、停止部または肩部４３を形成しているが、その機能については以下で説明する。
【００３２】
ノーズ４２はまた、外壁４４を貫通して形成された側部動脈（送達）開口部４６を含んでおり、該開口部は、これもまた患者の身体へと血液を戻すように機能するルーメン４１と液体流通している。側部の開口部またはポート４６は、血流方向での血液の送達を容易にし且つ機械的溶血を少なくするために、好ましくは図示のように外側に傾斜している。これらの追加の開口部は、複数の孔に亘って血液を分布させることにより、所望の流れ容積を維持するのを補助する。四つの開口部だけが示されているが、追加の開口部、または、より少ない開口部を設けることができ、また、これら開口部は相互に対して軸方向に配置できることも想定される。また、追加の組の開口部は、側部開口部４６から近位方向または遠位方向に離間して設けることもできる。
【００３３】
この実施例において、ノーズ４２は遠位チップ部分を形成しており、またカテーテル１１の他の部分とは異なる材料で構成され、溶接または他の手段によってカテーテル本体１１に取付けられる。この実施例における該チップ（ノーズ）は、組織を貫通するトンネル形成および鈍い切除を容易にするために、硬い材料で構成される。或いは、該ノーズを軟質材料で構成することにより、血管壁と接触したときに外傷が生じ難くすることもできるであろう。しかし、好ましい実施例においては、該ノーズはカテーテル本体と同じ材料で構成されると共に、その中に小さい補強部材が埋設される。この構成については、図１３〜図１５に関連して以下で詳細に説明する。
【００３４】
カテーテル１０はまた、カテーテル本体１１の長さに沿って長手方向位に延びる一連の静脈（抜取り）ルーメン３４ａ〜３４ｅを有しており、その夫々はノーズ４２の表面４８で終端している。図８の断面図に示す好ましい実施例において、ルーメン３４は楕円形状であり、対向する湾曲壁３７ａ，３７ｂおよび対向する実質的に平坦な壁３９ａ，３９ｂを有している。これらの離間したルーメンの間には固体材料が存在しており、これによりカテーテル本体１１の構造的一体性が増大している。該ルーメン３４ａ〜３４ｅは、これらが共通のコネクタ管に接続されるハブ１２までは、カテーテル本体１１の遠位部分３３、中間部分３４および近位部分３５を通して相互に独立している。これについては以下で更に詳述する。図示のように、ルーメン３４ａ〜３４ｅは、中央の動脈ルーメン４０から放射状かつ対称的に配置されている。
【００３５】
図５および図６Ａを継続して参照すると、一連の側部開口部またはポート５０が、カテーテル本体１０の外壁に設けられている。これらの開口部５０ａ，５０ｂ，５０ｃ，５０ｄおよび５０ｅは、夫々流出ルーメン３４ａ〜３４ｅと液体連通しており、透析機に供給するために患者の身体から血液を抜取るように設計および構成されている。開口部５０ａ〜５０ｅから近位方向に離間した第二の組の開口部５２ａ〜５２ｅもまた、夫々のルーメン３４ａ〜３４ｅと液体連通している。図５には三つの側部開口部５０，５２のみが示されているが、他の三つの開口部は、静脈ルーメン３４ａ〜３４ｅの円周方向の配置に適合するように、カテーテルの他の側に、好ましくは、対称に配置されるものと理解される。
ルーメン３４ａ〜３４ｅはカテーテルの実質的長さに沿って分離されているが、好ましくは、これらはカテーテル１０の近位部分に共通の流れ起点を有している。これについては以下で更に詳述する。
【００３６】
図８の実施例において、動脈ルーメンの断面積サイズは、好ましくは、約０．１５２４ｍｍ（約０．００６インチ）〜約０．２０３２ｍｍ（約０．００８インチ）であり、より好ましくは、約０．１７７８ｍｍ（０．００７インチ）である。各静脈ルーメン３４の断面積は、好ましくは、約０．０５０８ｍｍ（約０．００２インチ）〜約０．１０１６ｍｍ（約０．００４インチ）、より好ましくは、約０．０７６２ｍｍ（約０．００３インチ）であり、静脈戻りルーメンの全断面積を約０．２５４ｍｍ（約０．０１インチ）〜約０．５０８ｍｍ（約０．０２インチ）、より好ましくは、約０．３８１ｍｍ（約０．０１５インチ）にするものである。これは、静脈ルーメンに対する動脈ルーメンの全断面積の比が、約１〜約２．１であることを意味する。他の寸法もまた想定される。
なお、５つの別々のルーメン３４が示されているが、より少ない数のルーメンを設けてもよいし、または、より多い数のルーメンを設けてもよいことを理解すべきである。また、二組の側部開口（組５０および組５２）が示されているが、より少ない数の組を設けることもできるし、または、より多い数の組を設けることもでき、また夫々の組に、より少ない数の開口部を設けることもでき、または、より多い数の開口部を設けることもできるであろう。
【００３７】
円周方向に離間された別のルーメン構成が、図９Ａ、図９Ｂ、図９Ｃおよび図１０に示されている。図９Ｂでは、三つの弧状のルーメン６０ａ，６０ｂ，６０ｃが動脈中央ルーメン４０’の回りに配置されている。これらの大きな寸法のルーメンは追加の静脈流を与えるが、図８のルーメン構成に比較して壁材料が少ないために、カテーテル壁の強度減少をもたらす。図９Ａにおいては、五つのルーメン６６ａ，６６ｂ，６６ｃ，６６ｄ，６６ｅが設けられる。これらのルーメンは、図８のルーメン構成よりもむしろ、矩形（または台形）の形状を有しており、一対の対向壁が直線的な構成を有している。図示するように、他方の対の対向壁は僅かに湾曲している。図９Ｃにおいては、四つの楕円状の静脈ルーメン７６ａ，７６ｂ，７６ｃ，７６ｄが、実質的に正方形の中央ルーメン７８の回りに配置されている。このルーメンの構成は、かなりの大きさの中央ルーメン、および、カテーテル壁が曲がるために中央ルーメン７８と、各静脈ルーメン７６ａ〜７６ｄとの間の充分な余裕を提供する。図１０においては、円形断面の五つのルーメン７０ａ〜７０ｅが中央ルーメン４０’’の回りに設けられており、壁材料を増大させることによってカテーテルの安定性を高めるが、図８の実施例に比較して全体の静脈ルーメンの大きさを減少させる。好ましくは、これらの各実施例における静脈ルーメンは、カテーテルの実質的長さに沿って相互に独立している。
【００３８】
より少ない数を設けることもできるし、または、より多い数のルーメンを設けることもできるであろうし、また他の構成のルーメンも想定される。カテーテルの回りでのこの円形アレイ状の静脈ルーメン配置、即ち、カテーテルの中心からの放射状の配置は、並置される静脈／動脈ルーメン構成に比較して減圧をより均一に分布させて、一定の帰還流を確実にする。何故なら、ルーメンの一つが血管壁に固着または詰まると、残りのルーメンが充分な流れを維持するからである。また、ルーメンと連通した側壁の開口部は円形でなく細長くてもよく、吸引された血液を導入するために、長手方向に延びる一連の開口部を形成することができる。この細長い開口部は、例えば以下で詳述する図１８および図２０に示されている。
【００３９】
挿入を容易にするために、カテーテルは補強ロッドの形態の補強部材を収容するように構成され、該補強ロッドはカテーテルを伸長させてそのプロファイルを減少させ、ワイヤ上での挿入および小血管を通るより良好な操縦を補助する。即ち、ワイヤ上での挿入および小血管を通る操縦を容易にするために、該補強ロッドはカテーテル１０の中央ルーメン４０の中に挿入され、トルクを与えられて可撓性カテーテルを硬化させ、また挿入の際にそれを伸長させることによってカテーテル本体の外径を減少させる。カテーテル１０が配置された後、この補強ロッドは除去されて、身体との間での血液の輸送のために必要な大きさのルーメンを持った高いプロファイルの位置に復帰することを可能にする。補強ロッドの二つの実施例が図４Ａおよび図４Ｂに図示されており、図３のカテーテル１０の中に挿入する前の状態で示されている。
【００４０】
図４Ａに示した補強ロッドの第一の実施例に戻ると、該補強ロッドは、参照番号８０で示されている。補強ロッド８０は、遠位チップ８２、近位端部分８５、および、中を通って延びる内部ルーメン８７を有している（図１１参照）。補強ロッド８０は、流入管１６の近位端を通して図１１の矢印の方向に、中央ルーメン４０を通り、図１２に示すように肩部または停止部４３に当接するまで、ガイドワイヤ２０（ルーメン８７を通る）上を挿入される。補強ロッド８０の近位端部分８５は、ねじ付き部分８１を有しており、これは流入管１６の螺合ねじ１５に螺入される。これにより、補強ロッド８０は挿入の際にカテーテル１０内に一時的に固定される。このねじ装着は、補強ロッド８０が肩部（当接表面）４３を前方に押圧して力を加え、カテーテル本体１１を伸長させてその外径を縮小するときに、ロッド８０を手で捻ることにより該ロッド８０にトルクを付与することを必要とする。一つの実施例では、例えば、補強ロッド８０によって、カテーテル本体１１が約０．２１５ミリメータから約０．２０７ミリメーターに直径を減少できることが想定される。（他の寸法減少もまた想定される）。このカテーテル本体の直径またはプロファイルの減少は、補強ロッド８０によって行われる寸法変化を示す図１１および図１２の矢印Ｄ１およびＤ２によって表される。
【００４１】
カテーテル１０が所望の位置に配置された後、補強ロッドは流入管１６の基端部ねじ１５から外され、カテーテル本体１０の中央ルーメン４０および流入管１６から除去され、それによってカテーテルが図１１の正常なプロファイルに復帰するのを可能にする。
なお、変形例として、補強ロッド８０はバヨネットロック、スナップ嵌合などのような他の手段によって、その基端部で流入管１６に一時的に取付けできることが理解されるべきである。このロッドは最初に手で捻られ、次いでそのトルク付加された位置に保持するために、これら種々の手段によって装着できるであろう。
【００４２】
補強ロッドの別の実施例が図４Ｂに示されており、参照番号９０によって、全体的に表されている。補強ロッド９０はねじを付した遠位端９２を有しており、これは図６Ｂに示したカテーテル２００の内部ねじ２５１上に螺合される。一連の近位ねじ９１は、補強ロッド８０について上述したのと同じ方法で、流入管１６のねじ１５上に螺合される。補強ロッド９０は、補強ロッド８０と同様に、即ち、挿入の際にカテーテルを伸長してそのプロファイルを減少し、且つそれを硬化させて挿入を容易にするように機能する。唯一の相違は、カテーテル１０の肩部４３との当接関係の代りに、補強ロッド９０の遠位端をカテーテル２００に機械的にねじ留めすることである。好ましくは、遠位ねじ９２は最初に内部ねじ２５１に螺合され、続いて補強ロッドがトルク付与されるときに近位ねじ９１が取付けられる。補強ロッド８０と同様に、補強ロッド９０は好ましくは断面が円形であるが、他の構成も想定される。
【００４３】
図６Ｂのカテーテル２００は、肩部４３の代りのねじ２５１、および直径の均一なルーメン２４１を除き、全ての点でカテーテル１０と同一である。カテーテル１０と同様に、カテーテル２００は、遠位チップ部分２４２のルーメン２４１と流通する遠位開口部２４７および外壁２４４の流出側部開口部２４６を有している。静脈流入ルーメン２３４ａ〜２３４ｅは、壁２４８で終端し、また外壁２１４に形成された夫々の側部開口２５２ａ〜２５２ｅおよび２５０ａ〜２５０ｅを有している。図６Ｂの縦断面図には、唯一の側部開口２５２ａ、２５０ａだけが示されている。
【００４４】
上記のように、遠位チップ（ノーズ）は、カテーテル本体１１よりも硬い異なる材料で構成することができ、またはカテーテル本体よりも高いデュロメータ値を有する材料で構成することができる。この更に硬い材料は、組織のトンネル形成および拡張の両方を容易にするであろう。しかし、別の好ましい実施例においては、遠位チップはカテーテル本体と同じ材料で構成されるが、補強挿入物を有している。
【００４５】
より詳細に言えば、別のノーズ（チップ）構成が図１５に示されており、該チップを製造する方法が図１３および図１４に示されている。このノーズまたは遠位チップ１０４は、カテーテル本体１０８と同じ材料で構成されており、またノーズ１０４の中央ルーメン１０６を通して挿入された補強挿入物１１０を有している。中央ルーメン１０６はカテーテル本体を通して延びている。補強挿入物１１０は、カテーテル本体１１の８５ショアＡに対して、７２ショアＤのようなより硬いデュロメータ値の材料で製造される点を除き、好ましくはカテーテル本体１１およびノーズ１０４と同じ材料で構成される。利用される材料は、例えばウレタンであることができる。便宜上、遠位チップだけが示されているが、カテーテル１００の残りの部分もカテーテル１０と同じである。
【００４６】
好ましくは図示のように円筒状の補強挿入物１１０は、ガイドワイヤを収容するため、および中央ルーメン１０６と連通するための孔１１２を有している。挿入物１１０は、中央ルーメン１０６の内壁表面１１４と係合する。ルーメン１０６、即ち、側部開口１１９の近位部分は、補強ロッド８０のための当接表面（肩部）を提供する段差部分、または上記で述べた補強ロッド９０を装着するための内部ねじを含んでいる。
【００４７】
次に、図１３〜図１５に関連して、この弾丸形状のノーズ１０４を製造する方法を説明する。好ましくは、射出成形技術により、中央動脈ルーメン１０６および静脈ルーメン１０９ａ〜１０９ｅを備えた円筒管が形成されたら、最遠位端において円筒管の最遠位縁１０２と実質的に同一平面になるように、補強挿入物１１０を中央ルーメン１０６内に配置する。
【００４８】
補強挿入物またはスラグ１１０が中央ルーメン１０６内に配置されたら、この管は、チップ材料を流動させて更に硬い挿入物１１０の回りに形成することを可能にする従来の高周波加熱または他の加熱プロセスによって、図１５Ａおよび図１５Ｂの弾丸ノーズ形状に成形される。該材料は挿入物１１０に融合するので、ダイの加熱およびこの構成への形成の後に、該材料は冷却されることにより図１５の形状に硬化される。この成形プロセスの際に、従来のコアピン（図示せず）を使用し、孔１１２および中央ルーメン１０６を通して挿入することができる。材料が硬化したとき、このピンを抜取ってこれら開口部を維持する。成形プロセスの後に、図１〜図６の中央ルーメン４０と連通する側部穴４６と同様にして、ルーメン１０６と連通するように、カテーテル１００の壁１０８を貫通する側部孔１１４が切出され、または穿孔される。
【００４９】
図１６Ａ〜図１７Ｃは、カテーテル本体の血管壁との接触を最小限にするスペーサをもった、本発明のカテーテルの二つの別の実施例を示している。これらスペーサを提供することは任意である。図１６Ａ〜図１６Ｃの実施例において、カテーテル１５０はカテーテル１０と同様に、ノーズ１５４、ガイドワイヤ２０も収容する中央動脈ルーメン１５６、および一連の（例えば五つ）静脈ルーメン１６０〜１６０を有する遠位部分を有している。動脈ルーメン１５６は、ルーメン１５１、および開放遠位端１５８で終端するノーズ１５４の狭いルーメン１５３と連通している。複数の側部開口部１５９はルーメン１５１と連通しており、またカテーテル１０の側部開口部４６と同様にして機能する。カテーテル１０における静脈ルーメン３４の側部開口部５２と同様に、静脈ルーメン１６０は、側部開口部１６１でそれぞれ終端している。一連の側部開口部１６１が一つだけ示されているが、側部開口部１６１の遠位側または近位側に配置された、追加の側部開口部アレイを設けてもよいことが明らかであろう。静脈ルーメン構成もまた、カテーテル１０に関して上述したのと同様の方法で変化することができる。従って、スペーサを別にすれば、カテーテル１５０はカテーテル１０と同一である。
【００５０】
複数のスペーサワイヤ１６４がカテーテル１５０の壁１６９の中に埋設されており、接着剤または他の適切な手段によって領域１５８に固定されている。正常な構成において、スペーサワイヤ１６４は、血管壁と接触する可能性を低減するように、カテーテル１５０の外壁１６９に対して僅かに外側に曲がっている。補強ロッド８０がガイドワイヤ２０上を中央ルーメン１５６を通して挿入され、また図１６Ｃに示すように、エッジ１７０が当接表面または停止部材１５９に押しつけられるときは、カテーテル本体が真直ぐな位置に伸張されて、スペーサワイヤ１６４は壁１６９の外表面と実質的に同レベルになる。これはカテーテルのプロファイルを減少させて、スペーサワイヤがカテーテルの挿入を妨害しないことを保証する。補強ロッド８０が抜取られると、カテーテルはその正常な位置に復帰し、スペーサワイヤ１６４は図１６Ａおよび図１６Ｂに示すように外側に湾曲する。なお、補強ロッド９０はカテーテル１５０と共に使用することができ、ロッド８０と同じ方法でプロファイルを減少するように機能することを理解すべきである。次に、カテーテル１５０には補強ロッドを装着するための内部ねじが設けられるであろう。
【００５１】
スペーサワイヤの別の例が図１７Ａ〜図１７Ｃに示されている。カテーテル１８０は、ノーズ１８４の近位側に一体のリブ１９４が設けられている点を除き、カテーテル１５０と同一である。即ち、カテーテル１５０と同様に、カテーテル１８０はガイドワイヤ２０および補強ロッド８０または９０を収容するように構成された中央ルーメン１８６を有している。該ルーメン１８６は、ルーメン１８１および開放遠位端１８８で終端するノーズの狭いルーメン１８３と連通する。ノーズ１８４の側部開口部１８９はルーメン１８１と連通する。一連の独立した静脈ルーメン１９０が設けられており、これらはカテーテル１５０の側部開口部と同様、側部開口１９２の中で終端している。一連の側部開口部１９２が一つだけ示されているが、側部開口部１９２の近位側または遠位側に配置された、追加のアレイを設けてもよいことは明らかであろう。
【００５２】
カテーテル１５０の壁１９３における切欠によって、スペーサリブ１９４が形成される。図１７Ｂは、カテーテル本体の壁１９３の外表面から外側に湾曲した、それらの正常位置にあるスペーサリブ１９４を示している。図１７Ｃは、図４Ａの補強ロッド８０（または図４Ｂの補強ロッド９０）が中央ルーメン１８６を通して挿入され、上記のようにして挿入のためにカテーテル１５０が伸長された後の、真直ぐの位置または後退位置にあるスペーサリブ１９４を示しており、この場合は該リブ１９４が壁１９３の外表面と実質的に同一レベルにある。
【００５３】
図１８および図１９は、本発明のカテーテルのもう一つ別の実施例を示している。カテーテル５００は、直径が小さい領域５０４へと遷移するテーパ領域５１０を備えた遠位チップ５０２を有している。中央ルーメンは、液体供給のための遠位開口部５０６において終端している。先に述べた実施例とは異なり、遠位開口部５０６は、身体の中への唯一の液体送給通路である。しかし、患者への血液送給のための追加の動脈ポートを提供するために、チップに追加の側部孔を与えてもよいことが想定される。
【００５４】
一連の静脈開口部５０８（図１８には二つだけが示されている）が、チップ５０２の遷移領域またはテーパ領域に設けられる。これらの開口部は、吸引のための追加の領域を提供するために細長くなっている。夫々の開口部５０８は、カテーテルに形成された夫々の静脈ルーメン５１０と連通している。静脈ルーメンの構成（および動脈ルーメンの構成）は、図７〜図１０に示された形態であることができ、または上記で説明した他の変形であってもよい。
【００５５】
補強ロッド５２０は、カテーテル５００の中央ルーメンに配置された状態で示されている。ロッド５２０は、それがカテーテル５００の遠位チップ５０２から遠位方向に延び、組織をトンネリングおよび拡張するのを容易にするようにテーパした遠位端５２４を有し、またカテーテルの内部構造に当接するテーパした部分を有している点を除き、上記で説明したロッド８０および９０と同様である。更に詳細に言えば、ガイドワイヤ２０は、補強ロッド５２０の中央ルーメンを通って延びるように示されている。補強ロッド５２０はカテーテル５００の中央ルーメンを通して挿入され、該補強ロッド５２０およびカテーテル５００はガイドワイヤ２０上を挿入されるが、その際、テーパしたチップ５２４は組織を拡張させるので、カテーテルの通過を容易にする。
【００５６】
カテーテル５００は、図１３Ａの挿入物１１０と同様の、遠位チップに位置する円筒形挿入物５１４を有する。該挿入物５１４は、カテーテル５００のチップを硬化させて挿入を容易にするために、硬質の材料で構成される。挿入物５１０は、図示のように補強ロッド５２０を収容する開口部を有している。段差部分５２４により形成される肩部５２６は、挿入物５１４に当接することにより、図１１に示した肩部４３が補強ロッド８０の停止部材として作用したのと同様にして、停止部材として機能する。両者の相違は、該肩部が補強ロッド上にではなく、カテーテルの内部壁に形成されることである。従って、補強ロッド５２０は、上記ロッド８０，９０のようにして働く。即ち、組織のトンネリングおよび拡張機能を提供することに加え、カテーテルチップ部分を押圧して、カテーテルを挿入のために伸長させる。
【００５７】
図２０は、本発明によるカテーテルの別のチップ設計を示している。カテーテルチップ６０２は、より漸進的なテーパを有する点を除き、図１５のノーズに幾分類似した弾丸ノーズの構成を有している。カテーテルチップ６０２はまた、一連の細長い静脈孔６０８（図２０にはその二つだけが示されている）を有している。他の全ての点において、カテーテル６００は図１８のカテーテル５００と同じである。
【００５８】
本発明のカテーテルの挿入方法は、全てワイヤ上で行われるシステムを提供する。これは、図２２および図２３に示した套管針を提供することによって達成される。套管針３００は、ガイドワイヤ２０を収容する寸法で、それを貫通して形成されたルーメン３０４（図２２では想像線で示される）を有している。該ルーメン３０４は、ハンドル３０８における近位開口３０６から、図２２で見たときに套管針３００の下面にある遠位開口部３１０（図２２では想像線で示される）まで、套管針３００の全長に亘って延びている。遠位開口部３１０は、遠位チップが僅かに上方に湾曲する領域において、遠位チップ３０２に隣接している。なお、套管針３００のルーメン３０４は、ガイドワイヤを収容するために約１．１４３ｍｍ（約０．０４５インチ）の内径を有することだけを必要とするから、透析カテーテル、例えばカテーテル１０の外径より小さくてもよい。カテーテルの外径は、典型的には、約５．４６１ｍｍ（０．２１５インチ）である。套管針３００の鈍い遠位チップ３０２は組織を切除して、後でカテーテルを皮下固定するための皮下組織トンネルを形成する。
【００５９】
図２４Ａおよび２４Ｂは、套管針の別の実施例を示している。套管針３８０は、ガイドワイヤ用ルーメン３８３への細長い楕円形の入口開口部３８２、および組織を貫通するトンネリングを容易にする傾斜チップ３８４を除いて、套管針３００と同様である。また、ハンドルの構成３８６も僅かに異なるだけである。
次に、該カテーテルを使用する一つの方法を、図２５〜図２８に関連して説明する。カテーテル１０の挿入についてこの方法は説明するが、上記で述べた如何なるカテーテルも同様にして挿入できることが理解されるべきである。
先ず、針「Ｎ」を内部頚静脈に挿入して血管を適正に突き止め、この針を通して、ガイドワイヤが右内部頚静脈「ａ」の中に挿入され、また図２５に示すように上大静脈「ｂ」の中に挿入される。ガイドワイヤ２０を、右心房「ｃ」の中に更に前進させる。次いで、針「Ｎ」を抜取ってガイドワイヤをその場に残し、近位部分２１を患者の体から外へと延ばす。
【００６０】
次に、套管針３００を第一の切開部「ｓ」を通して患者の中に挿入し、皮膚の下を切開およびトンネリングさせて、第二の切開部または部位「ｕ」において組織から引き出し、図２７に示すように組織の下の皮下トンネル「ｔ」を形成する。以下で述べるように、これはカテーテルを固定する方法を提供する。次いで、先ずガイドワイヤの近位部分２１を套管針の遠位開口部３１０に挿入し、図２８Ａに示すようにそれが近位開口部３０６から出るようにして、ガイドワイヤ２０を套管針３０４のルーメンの中に通す。次いで、套管針３００を図２８Ｂの矢印方向に身体から抜取り、図示のようにガイドワイヤをその場に残す。こうして、ガイドワイヤ２０は右心房および上大静脈から右内部頚静脈および組織トンネル「ｔ」を通して延ばされる。
【００６１】
次いで、ガイドワイヤ２０上にカテーテル１０が通されるが、その際に、ガイドワイヤ２１の近位部分２１がカテーテルの遠位チップを通され、中央ルーメンの全長を通され、またハブ１２を通して流入管１１６の中に挿入され、治具１５を通して出される。こうして、カテーテル１０はワイヤ上を組織トンネル「ｔ」を通されるが、ここでは、長期間に亘って組織の内殖を可能にすることによりカテーテルの固定を補助するために、カフ３６（図２８Ｃには図示されていない）が組織トンネル「ｔ」に配置される。カテーテル１０は更にガイドワイヤ上を前進して、右内部頚静脈の中を下降し、上大動脈および右心房の中へと進められる。ガイドワイヤ２０は矢印の方向に抜取られ、図２８Ｃに示すように、カテーテルを使用のためにその場に残す。なお、好ましくは、補強部材８０または９０（図２８Ｃには明瞭に示されていない）が利用される。即ち、ガイドワイヤ２０上を治具１５、流入管１６、ハブ１２、および中央ルーメン４０を通されて、上記で詳述した様にしてカテーテル１０の案内を補助する。
【００６２】
理解できるように、カテーテルは、図２に示したようにして、同様の方法で左内部頚静脈を通して配置されるであろう。この方法では、皮下組織トンネルは、図２に示すように套管針３００によって左側に形成され、カテーテルはガイドワイヤ上を皮下組織トンネルを通り、右側切開について説明したのと同じ方法で、左内部頚静脈および上大静脈を通して右心房に挿入されるであろう。なお、本発明の上記カテーテルは何れも、この方法で挿入できることが理解されるべきである。
【００６３】
別の方法が図２９Ａ〜図２９Ｇに示されている。この方法では、図２７に示したような、針およびガイドワイヤを内部頚静脈の中に導入する切開部に隣接した第二の切開部を形成する代りに、套管針３００が針／ガイドワイヤ挿入部位から出される。カテーテル１０が示されているが、先の何れのカテーテルも同じ方法で挿入することができる。
【００６４】
この方法において、針およびガイドワイヤは、図２５および図２６に示したのと同じ方法で挿入される。針を除去した後のガイドワイヤは、「ｗ」で示すように、切開部から外側に延びた状態で残される。次に、図２９Ａに示すように、皮下組織トンネルを形成するために套管針３００が第一の切開部（図２７におけると同様に）を通して挿入される。しかし、図２７とは異なり、套管針は第二の切開部「ｕ」において出てこない。その代りに、套管針３００は針切開部「ｗ」まで皮下を前進して、図示の部位「ｗ」を通して出現する。従って、図２９Ａに示すように、套管針３００’の遠位端はガイドワイヤ２０に沿って切開部「ｗ」を出る。
【００６５】
次に、上記で述べたように、ガイドワイヤ２０が套管針の開口部を通して挿入され、次いで套管針が組織トンネル「ｔ」を通して引抜かれ、第一の切開部「ｓ」を通して出され、ガイドワイヤ２０がトンネルを通して引張られる。ガイドワイヤ２１がトンネル「ｔ」を通して引張られ、切開部「ｓ」を通して外に出された後に、套管針は除去されて、ガイドワイヤがその場に残される。なお、以下で説明するように、ガイドワイヤ２０は、カテーテルの挿入を容易にするためのガイドワイヤループ２２を形成するように配置される。
【００６６】
次いで、カテーテル１０はガイドワイヤ２０上を前進され（図２９Ｃ）、組織トンネルを通り、切開部「ｗ」を出て内部頚静脈「ａ」のへと進められる（図２９Ｄ）。図示のように、カテーテル１０はループ１３に形成され、ガイドワイヤ２０のループ２０に追従し、次いで内部頚静脈を通って下降し、上大静脈を通って右心房の中に進められる（図２９Ｅ）。次いで、ガイドワイヤ２０を引抜き、カテーテル１０を下方に押し下げ、および／または、引き戻してループを直線化し、図２９Ｆに示すようにカテーテルを配置する。
なお、ガイドワイヤおよびカテーテルのループ形成は任意であり、この処置はループ無しで行うことができることを理解すべきである。
【００６７】
図３０は、糸を回収し、またそれを皮下組織トンネルを通して後退させるために利用される套管針の別の実施例を示している。套管針３００’は、はと目孔３１２が設けられている点を除き、図２９の套管針３００と同様である。当該糸は、このはと目孔に通され、套管針が組織トンネルを通して近位方向に引張られ、切開部「ｓ」を通して糸が引き出される。図示のように、套管針は切開部「ｗ」、即ち、針およびガイドワイヤの挿入のために形成された同じ切開部を通って延びる。
はと目孔の代りに、組織トンネルを通してガイドワイヤを引張ることを可能にするための、ガイドワイヤを保持する鉤または他の手段を套管針に設けてもよいことが理解されるべきである。即ち、これらの変形例において、ガイドワイヤは套管針のルーメンに通されることなく、套管針は組織トンネルを通してガイドワイヤを引張る（後退させる）ために利用される。
【００６８】
図２１は、カテーテル挿入のための異なるアプローチに使用される別の套管針を示している。参照番号３５０で示すこの套管針は、全てワイヤ上でのシステムを提供しないが、引裂き導入体鞘の必要性を排除する部分的にワイヤ上でのシステムを提供するアプローチと共に使用される。本出願明細書の背景の節で述べたように、引裂き導入器鞘は、血管を通して透析カテーテルを右心房に案内するために現在利用されている。この引裂き鞘に付随する問題を回避するために、この別法におけるカテーテルは、図２５〜図２６に示した方法で配置できるガイドワイヤ上を前進させることができる。
この方法において、套管針３５０は、矢尻を設けた端部３５２を嵌合治具の中に挿入することによって、カテーテルの遠位端に結合される。套管針を一時的に取付ける他の手段も想定される。
【００６９】
套管針３５０は鈍い遠位チップ３５４を有しており、第一の組織切開部を通して進められ、組織を鈍く切除して、ガイドワイヤを用いない以外は上記で述べたのと同様の方法で皮下組織トンネルを形成する。套管針３５０はカテーテルに結合されるので、それは組織トンネルを通してカテーテルを引張り、該カテーテルは第二の切開部を通して出現する。次いで、套管針３５０はカテーテルから取外される。次いで、カテーテルは必要に応じて曲げられ、ガイドワイヤ上を頚静脈、上大静脈、および右心房の中に通される。
【００７０】
次に、特に図３１〜図３７を参照して、カテーテルのハブを製造する一つの方法を見てみると、カテーテルの中央動脈（送達）ルーメンの流入管との接続と、五つの独立した静脈（抜取り）ルーメンの単一の流出管との接続を可能にして、コネクタを通しての液体流通を提供するする方法が開示されている。
【００７１】
最初に図３１を参照すると、カテーテル管２０３の近位部分に、長手方向のスリット２０１が形成される。図３２は、スリットが形成されて中央ルーメン２０５と連通するときの、該スリット２０１と中央動脈ルーメン２０５との関係を示している。図３３の断面図から理解できるように、スリット２０１は、隣接する静脈（抜取り）ルーメン２０９ａ〜２０９ｅの間でカテーテル管２０３の壁に形成される。次に、モールドプロセスのために、金属ピン２０７がスリット２０１を通して挿入される。外側プラスチック性流入管２１０が、図３５に示すように金属ピン２０７を覆って配置され、最終的には中央ルーメン２０５と連通される。また、カテーテル管２０３を覆って配置された、静脈ルーメン２０９と連通する外側プラスチック流出管２１１も示されている。
【００７２】
次に、従来の射出成形技術を利用して、図３６に示すように、カテーテル管２０３および金属ピン２０７の回りに軟質プラスチック材料が流される。次いで、該材料を冷却および硬化させてハブ２０８を形成し、金属ピン２０７を除去してルーメン２０４を形成する。ルーメン２０４は狭くなった領域２０２を有する。図３７に示すように、ルーメン２０４は、流入管２１０のルーメン２０７をカテーテルの中央ルーメン２０５と液体連通させる。流出配管２１１のルーメン２１２は、五つの独立した静脈ルーメン２０９と連通する。
【００７３】
図３８〜図３９は、カテーテル連結を製造するためのもう一つの方法を示している。この方法において、カテーテル４００のカテーテル本体４０２は、その最近位端において、静脈（抜取り）ルーメン４０３ａ〜４０３ｅの夫々に対応する五つの切片４０１ａ〜４０１ｅに分離される。図４０は、五つの切片４０１を形成するために、隣接する静脈ルーメン４０３の間のカテーテル壁４０７に作製された五つの切り込み４０８を示している。
別々の流出コネクタ管４１２ａ〜４１２ｅは、夫々の静脈ルーメン４０３ａ〜４０３ｅ内に配置され、また溶剤接合または加圧嵌合によって夫々の切片４０１ａから４０１ｅに接続される。各コネクタ管４１２の近位端は、血液を透析機に輸送する流出管４１４内に配置される。こうして、血液は静脈ルーメン４０３を通り、また各流出コネクタ管４０１を通って、単一の流出管４１４の中に流れる。
【００７４】
流入配管４１６は、溶剤接合または加圧嵌合により動脈ルーメンの内側に結合される流入コネクタ管４１０によって、中央動脈ルーメンに接続される。なお、流入コネクタ管４１０は、切片４０１の間に配置される。より少ない数またはより多い数の静脈ルーメンを設けるときは、静脈ルーメンと等しい数の流出管が利用され、対応する数の切片に切断されることが理解されるべきである。
図４１〜図４３は、本発明のカテーテルのハブを製造するための、もう一つ別の方法を示している。このハブおよび付随する配管は、図９Ｃのルーメンの構成を有するカテーテルと共に使用するために示されているが、同様に、他のルーメン構成と共に利用することもできる。
【００７５】
中央ルーメンコネクタ（中間）管７０２が、カテーテル７００の中央ルーメン７８と連結される。四つの静脈連結（中間）管７０４が、夫々の静脈ルーメン７６ａに接続される。これら夫々の管は、その長さに沿って、断面が実質的に円形のルーメンを有している。この実質的に円形のルーメンは、カテーテル１０内の静脈ルーメンの断面形状に対応しており、これらは図４３に示す拡開した近位部分において、実質的に楕円の断面形状から実質的に円形の断面形状に変化する。なお、動脈ルーメン７８もまた、実質的に円形の断面形状に変化する。
コネクタ管７０４の夫々は、血液の透析機への流出を与える多重ルーメン延長（流出）管７０８に接続される。延長管７０８は、四つのルーメン７１０を備えた拡開した遠位部分７１１を有しており、その各ルーメンは、コネクタ管７０４の一つと連通する様に構成されている。図示のように、夫々のルーメン７１０は実質的に円形の断面形状を有しており、これは近位部分に向かって実質的に三角形の断面形状に変化する。
【００７６】
患者への血液の流入を与える単一のルーメン延長（流入）管７１２が、コネクタ管７０２に接続している。延長管７１２は、テーパした遠位端７１８を有しており、そのルーメン７１９は、近位端に向って、実質的に円形の断面形状から実質的に正方形の形状に変化する。いる。ハウジング７１６を先の管と共にモールド成形することにより、カテーテルハブが形成される。図１のクランプ１７および１９のような従来の管クランプが、血流を遮断するために、延長管７０８，７１２の回りに配置される。
回転可能な糸リング７２０は、カテーテルハブの回りに配置され、また、好ましくは患者の皮膚と実質的に同一平面に着座するように平坦な表面を有する。糸通し孔７２４は、リング（従ってカテーテルも）を患者に取り付けるための糸を収容するように構成される。
【００７７】
上記で述べたカテーテルは、任意に、外部および／または内部の表面処理を含むことができる。この表面処理は、例えば、潤滑性を増大して挿入を容易にする親水性コーティング、ヘパリンまたはＩＩｂ，ＩＩＩａ阻害剤を含有する薬物コーティング、Ｓｏｒｉｎｓ炭素コーティングのような不活性コーティング、および／または銀イオンコーティングのような活性コーティングを含むことができる。
なお、ここではカテーテルを血液透析のための透析カテーテルとして説明したが、ここに開示したカテーテルは、薬物デリバリーまたは血液サンプリングのような他の外科的用途をも有し得ることが理解されるべきである。更に、当該カテーテルの特徴、チップ構成およびルーメン構成は、他のカテーテルにも利用することができる。
【００７８】
上記の説明は多くの特定を含んでいるが、これらの特定は本開示の範囲に対する限定として解釈されるべきではなく、その好ましい実施例の単なる例示として解釈されるべきである。当業者は、特許請求の範囲によって定義される開示の範囲および精神内にある他の多くの可能な変形を想定できるであろう。
【図面の簡単な説明】
【図１】
図１は、患者の身体の右内部頚静脈および上大静脈を通して右心房内に挿入されている、本発明の多重ルーメンカテーテルの第一の実施例を示す平面図である。
【図２】
図２は、左内部頚静脈および上大静脈を通して右心房の中に挿入されている、図１の多重ルーメンカテーテルを示す平面図である。
【図３】
図３は、本発明の多重ルーメンカテーテルの第一の実施例の等角図であり、補強ロッドの挿入方向を示している。
【図４Ａ】
図４Ａは、カテーテルの挿入を容易にするために図３のカテーテルを通して挿入可能な、本発明の補強ロッドの第一の実施例を示す側面図である。
【図４Ｂ】
図４Ｂは、その遠位端に一連の装着ねじを有する本発明の補強ロッドの別の実施例を示す側面図である。
【図５】
図５は、図３の多重ルーメンカテーテルの遠位部分を示す斜視図であり、中央ルーメンを通して延びるガイドワイヤを示している。
【図６Ａ】
図６Ａは、図５の線６Ａ−６Ａに沿った縦断面図である。
【図６Ｂ】
図６Ｂは、図４Ｂの補強ロッドを固定するための内部ねじを有するカテーテルの別の実施例を示している点を除き、図６Ａと同様の縦断面図である。
【図７】
図７は、図６Ａの線７−７に沿った横断面図である。
【図８】
図８は、図６Ａの線８−８に沿った横断面図である。
【図９Ａ】
図９Ａは、本発明のカテーテルにおけるルーメン構成の第二の実施例を示している点を除き、図８と同様の横断面図である。
【図９Ｂ】
図９Ｂは、本発明のカテーテルにおけるルーメン構成の第三の実施例を示している点を除き、図８と同様の横断面図である。
【図９Ｃ】
図９Ｃは、本発明のカテーテルにおけるルーメン構成の第四の実施例を示している点を除き、図８と同様の横断面図である。
【図１０】
図１０は、本発明のカテーテルにおけるルーメン構成の第五の実施例を示している点を除き、図８と同様の横断面図である。
【図１１】
図１１は、図３のカテーテルにおける遠位端の縦断面図であり、該カテーテルの中央ルーメンを通して挿入されている図４Ａの補強ロッドを示している。
【図１２】
図１２は、先端における停止部材に当接して、中央ルーメン内に完全に配置された補強ロッドを示している点を除き、図１１と同様の縦断面図である。
【図１３Ａ】
図１３〜図１５は、本発明のカテーテルにおける先端チップおよび該チップを形成する方法工程の別の実施例を示している。図１３Ａは、図示の補強挿入物を受入れる前の形成前のチップを示す斜視図である。
【図１３Ｂ】
図１３Ｂは、図示の補強挿入物を受入れる前の形成前のチップを示す断面図である。
【図１４Ａ】
図１４Ａは、補強挿入物がその中に配置されたときのチップの斜視図である。
【図１４Ｂ】
図１４Ｂは、補強挿入物がその中に配置されたときのチップの断面図である。
【図１５Ａ】
図１５Ａは、弾丸ノーズ状の構成に形成された先端チップの斜視図であり、その中に形成された側部孔を示している。
【図１５Ｂ】
図１５Ｂは、弾丸ノーズ状の構成に形成された先端チップの断面図であり、その中に形成された側部孔を示している。
【図１６Ａ】
図１６Ａは、一連のスペーサワイヤを有する本発明の多重ルーメンカテーテルの、もう一つ別の実施例における先端部分の斜視図であり、その中を通って延びるガイドワイヤを示している。
【図１６Ｂ】
図１６Ｂは、図１６Ａのカテーテル先端部の縦断面図であり、伸長した位置にあるスペーサワイヤを示している。
【図１６Ｃ】
図１６Ｃは、ガイドワイヤ上を図４Ａの補強ロッドが中央ルーメンの中に挿入され、挿入の際にカテーテルが伸長されるときの、スペーサワイヤおよびカテーテル本体の減少したプロファイルを示す以外は、図１６Ａと同様の縦断面図である。
【図１７Ａ】
図１７Ａは、一体的な一連のスペーサリブを有する本発明のカテーテルのもう一つ別の実施例における遠位部分を示す斜視図である。
【図１７Ｂ】
図１７Ｂは、図１７のカテーテルにおける遠位部分の縦断面図であり、伸長位置にあるスペーサリブを示している。
【図１７Ｃ】
図１７Ｃは、図４Ａの補強ロッドが中央ルーメン内に挿入され、挿入の際にカテーテルが伸長されるときの、スペーサリブおよびカテーテルの減少したプロファイルを示す以外は、図１７Ａと同様の縦断面図である。
【図１８】
図１８は、テーパしたチップを有する本発明の多重ルーメンカテーテルのもう一つ別の実施例における遠位部分を示す斜視図である。
【図１９】
図１９は、図１８のカテーテルにおける遠位部分の斜視図であり、ガイドワイヤ上をカテーテルの中央ルーメンに貫通して配置された補強ロッドを示している。
【図２０】
図２０は、本発明による多重ルーメンカテーテルの更にもう一つの別の実施例における遠位部分の斜視図である。
【図２１】
図２１は、皮下組織トンネルを形成し且つ該組織トンネルを通してカテーテルを引張るために、カテーテルに取付けるための矢尻を付した遠位端を有する本発明による套管針の第一の実施例を示す斜視図である。
【図２２】
図２２は、ガイドワイヤを収容するためのルーメンを有する、本発明の套管針の別の実施例を示している。
【図２３】
図２３は、皮下組織トンネルが形成された後に引抜かれている、図２２の套管針を示している。
【図２４Ａ】
図２４Ａは、ガイドワイヤを収容するためのルーメンを有する本発明による套管針のもう一つ別の実施例の底面図である。
【図２４Ｂ】
図２４Ｂは、図２４Ａの套管針における遠位端の縦端面図である。
【図２５】
図２５〜図２８は、図３の多重ルーメンカテーテルを右内部頚静脈および上大静脈を通して右心房に挿入する外科的方法工程を示している。ここで図２５は、右頚静脈を通して挿入されている導入針、および右頚静脈を通して挿入されているガイドワイヤを示しており、これらは上大静脈を通して右心房の中に挿入される。
【図２６】
図２６は、導入針を除去した後に、ガイドワイヤを右頚静脈、大静脈および右心房の中に残されたガイドワイヤを図示している。
【図２７】
図２７は、導入針用の切開部位に隣接した皮下組織トンネルを形成するように、第一の切開部位を通して挿入され、且つ第二の切開部位を通して延びる図２２の套管針を示している。
【図２８Ａ】
図２８Ａは、図２２の套管針のルーメンに通されたガイドワイヤを図示している。
【図２８Ｂ】
図２８Ｂは、組織トンネルを通って延びるガイドワイヤをその場に残して、除去された套管針を図示している。
【図２８Ｃ】
図２８Ｃは、ガイドワイヤ上で組織トンネルを通して挿入され、且つ下方に湾曲されて右内部頚静脈、大静脈および右心房の中に導入された、図３の多重ルーメンカテーテルを示している。
【図２９Ａ】
図２９Ａ〜図２９Ｇは、図３の多重ルーメンカテーテルを、右頚静脈および上大静脈を通して右心房の中に挿入する別の方法の工程を図示しており、ここでは套管針が、針およびガイドワイヤが導入される切開部位に出口開口部を備えた組織トンネルを形成する。図２９Ａは、ガイドワイヤ上で第一の切開部位を通して挿入され、皮下組織トンネルを形成して、導入された針およびガイドワイヤの挿入のために形成された切開部位を出る図２２の套管針を示している。
【図２９Ｂ】
図２９Ｂは、組織トンネルを通して延び且つ切開部に隣接したループを形成するガイドワイヤをその場に残して、除去された套管針を示している。
【図２９Ｃ】
図２９Ｃは、組織トンネルを通過するためにガイドワイヤ上を挿入される図３の多重ルーメンカテーテルを示している。
【図２９Ｄ】
図２９Ｄは、皮下組織トンネルを通して挿入されたカテーテルと、ガイドワイヤに形成されたループに対応したループの形成を示している。
【図２９Ｅ】
図２９Ｅは、皮下組織トンネルを通して延び、更にガイドワイヤに沿って右頚静脈の中に挿入されるカテーテルを示している。
【図２９Ｆ】
図２９Ｆは、除去されているガイドワイヤを示すことを除き、図２９Ｅと同様の図である。
【図２９Ｇ】
図２９Ｇは、適所において皮下組織トンネルを通って延び、右頚静脈、上大静脈および右心房の中へと進められるカテーテルを示している。
【図３０】
図３０は、套管針によって形成された皮下組織トンネルを通して、ガイドワイヤを後退させる別の方法を示している。
【図３１】
図３１〜図３７は、図３の多重ルーメンカテーテルにおけるハブの第一の実施例を製造する方法を示しており、図３１は、カテーテルの外壁に形成されたスリットを示している。
【図３２】
図３２は、カテーテルの中央動脈ルーメンを仮想線で示すことを除き、図３１と同様の図である。
【図３３】
図３３は、図３２の線３３−３３に沿った横断面図である。
【図３４】
図３４は、カテーテル外壁のスリットを通して挿入されたピンを示している。
【図３５】
図３５は、ピンを覆って挿入された管を示している。
【図３６】
図３６は、ルーメンコネクタ管を適正位置に保持するカテーテルハブを形成するための、ピンおよびカテーテル管を覆うの軟質材料の注入を示している。
【図３７】
図３７は、一つのコネクタを流入（動脈）ルーメンと連通させ、他のコネクタを複数の流出（静脈）ルーメンと連通させることを可能にする、射出成形プロセスから得られるハブを示している。
【図３８】
図３８〜図４０は、図３の多重ルーメンカテーテルにおけるハブの別の実施例を示している。ここで図３８は、別々のコネクタ管を収容するように五つのセグメントに分割されたカテーテル本体の近位端を示す斜視図である。
【図３９】
図３９は、カテーテル本体の夫々のルーメンに挿入されたコネクタ管を示す斜視図である。
【図４０】
図４０は、分離されたセグメントを形成するためにカテーテル壁に造られた切り込みを示す横断面図である。
【図４１】
図４１は、図９Ｃのルーメン構成を有する、本発明のカテーテルにおけるハブのもう一つ別の実施例を示す斜視図である。
【図４２】
図４２は、図４１のハブおよび管構造の分解図である。
【図４３】
図４３は、カテーテルの拡開した近位部分における、実質的な楕円から実質的な円構造への静脈孔の変化を示す拡大斜視図である。
【図４４】
図４４は、近位方向に向ってテーパし且つ実質的に円形の静脈孔から実質的に三角形の孔へと変化する、多重ルーメン延長部を示す拡大斜視図である。
【国際公開パンフレット】
2005502387.tif 000003
2005502387.tif 000004
2005502387.tif 000005
2005502387.tif 000006
2005502387.tif 000007
2005502387.tif 000008
2005502387.tif 000009
2005502387.tif 000010
2005502387.tif 000011
2005502387.tif 000012
2005502387.tif 000013
2005502387.tif 000014
2005502387.tif 000015
2005502387.tif 000016
2005502387.tif 000017
2005502387.tif 000018
2005502387.tif 000019
2005502387.tif 000020
2005502387.tif 000021
2005502387.tif 000022
2005502387.tif 000023
2005502387.tif 000024
2005502387.tif 000025
2005502387.tif 000026
2005502387.tif 000027
2005502387.tif 000028
2005502387.tif 000029
2005502387.tif 000030
2005502387.tif 000031
2005502387.tif 000032
2005502387.tif 000033
2005502387.tif 000034
2005502387.tif 000035
2005502387.tif 000036
2005502387.tif 000037
2005502387.tif 000038
2005502387.tif 000039
2005502387.tif 000040
2005502387.tif 000041
2005502387.tif 000042
2005502387.tif 000043
2005502387.tif 000044
2005502387.tif 000045
2005502387.tif 000046
2005502387.tif 000047
2005502387.tif 000048
2005502387.tif 000049
2005502387.tif 000050
2005502387.tif 000051
2005502387.tif 000052
2005502387.tif 000053
2005502387.tif 000054
2005502387.tif 000055
2005502387.tif 000056
2005502387.tif 000057
2005502387.tif 000058
2005502387.tif 000059
2005502387.tif 000060
2005502387.tif 000061
2005502387.tif 000062
2005502387.tif 000063
2005502387.tif 000064
2005502387.tif 000065
【国際公開パンフレット（コレクトバージョン）】
2005502387.tif 000066
【国際公開パンフレット（コレクトバージョン）】
2005502387.tif 000067
2005502387.tif 000068
2005502387.tif 000069
2005502387.tif 000070
2005502387.tif 000071
2005502387.tif 000072
2005502387.tif 000073
2005502387.tif 000074
2005502387.tif 000075
2005502387.tif 000076
2005502387.tif 000077
2005502387.tif 000078
2005502387.tif 000079
2005502387.tif 000080
2005502387.tif 000081
2005502387.tif 000082
2005502387.tif 000083
2005502387.tif 000084
2005502387.tif 000085
2005502387.tif 000086
2005502387.tif 000087
2005502387.tif 000088
2005502387.tif 000089
2005502387.tif 000090
2005502387.tif 000091
2005502387.tif 000092
2005502387.tif 000093
2005502387.tif 000094
2005502387.tif 000095
2005502387.tif 000096
2005502387.tif 000097
2005502387.tif 000098
2005502387.tif 000099
2005502387.tif 000100
2005502387.tif 000101
2005502387.tif 000102
2005502387.tif 000103
2005502387.tif 000104
2005502387.tif 000105
2005502387.tif 000106
2005502387.tif 000107
2005502387.tif 000108
2005502387.tif 000109
2005502387.tif 000110
2005502387.tif 000111
2005502387.tif 000112
2005502387.tif 000113
2005502387.tif 000114
2005502387.tif 000115
2005502387.tif 000116
2005502387.tif 000117
2005502387.tif 000118
2005502387.tif 000119
2005502387.tif 000120
2005502387.tif 000121
2005502387.tif 000122
2005502387.tif 000123
2005502387.tif 000124
2005502387.tif 000125
2005502387.tif 000126
2005502387.tif 000127
2005502387.tif 000128
2005502387.tif 000129
2005502387.tif 000130
2005502387.tif 000131
【国際調査報告】
2005502387.tif 000132
2005502387.tif 000133
2005502387.tif 000134
2005502387.tif 000135
2005502387.tif 000136